(57)【要約】      （修正有）【課題】小役図柄と特定の図柄とを見分け易くすることにより、遊技者による目押しが極めて容易なスロットマシンを提供する。【解決手段】背景部には、特定の図柄５３の背景領域に設けられるとともに、第一の色彩で彩色された第１背景部５１ａと、特定の図柄以外の通常の図柄５２の背景領域に設けられるとともに、前記第一の色彩とは異なる第二の色彩で彩色された第２背景部５１ｂとを備えた。【選択図】図１
2009240408.tif 000002
【特許請求の範囲】
【請求項１】
外周に複数種類の図柄が配列表示され、回転することにより、図柄の配列方向に移動表示可能な、左右方向に横並びに並んだ複数個の回転リールと、
前記複数個の回転リールが各々臨む表示窓と、
前記表示窓に表示され、前記複数個の回転リールにまたがり、当該回転リールの図柄の役の入賞の判定を行うための複数本のラインと、
前記回転リールを個別に回転可能な駆動手段と、
メダルの投入を条件に、前記駆動手段を駆動することにより、前記回転リールの回転を開始させるためのスタートスイッチと、
前記各回転リールにそれぞれ対応し、前記駆動手段の駆動を停止させることで、当該回転リールの回転を個別に停止可能な複数個のストップスイッチと、
前記駆動手段、前記スタートスイッチ及び前記ストップスイッチに個々に接続され、遊技を進行させるための遊技制御装置とを備えるスロットマシンにおいて、
前記各回転リールは、
帯状のリールテープと、
前記リールテープを外周に巻き付けるリール本体とから構成され、
前記リールテープには、
前記リールテープの長さ方向の所定の間隔毎に配列表示された前記複数種類の図柄と、
前記図柄を除く背景領域に設けられ、前記リールテープの地色とは異なる色彩に着色された背景部とを備え、
前記背景部には、
特定の図柄の背景領域に設けられるとともに、第一の色彩で彩色された第１背景部と、
前記特定の図柄以外の通常の図柄の背景領域に設けられるとともに、前記第一の色彩とは異なる第二の色彩で彩色された第２背景部とを備えたことを特徴とするスロットマシン。
【請求項２】
請求項１に記載のスロットマシンであって、
第一の色彩は、第一の色彩よりも高い明度で形成したことを特徴とする請求項１記載のスロットマシン。
【請求項３】
請求項１又は請求項２に記載のスロットマシンであって、
通常の図柄には、
幅方向の左端部からリールテープの左端部までの間隔である左図柄間隔の幅又は幅方向の右端部から前記リールルテープの右端部までの間隔である右図柄間隔の幅を、いずれか一方の間隔の幅よりもいずれか他方の間隔の幅を広く形成した小役図柄を含む、
ことを特徴とするスロットマシン。
【請求項４】
請求項１、請求項２又は請求項３に記載のスロットマシンであって、
特定の図柄は、
小役図柄の間隔の幅を広くした左図柄間隔又は右図柄間隔と同じ側に、前記小役図柄よりもリールテープの端部方向に突出した突出部分を形成したことを特徴とするスロットマシン。
【請求項５】
請求項１、請求項２、請求項３又は請求項４に記載のスロットマシンであって、
背景部の幅方向の両側には、リールテープの両側部との間に、該リールテープの地色と同一の空白部を各々設け、
小役図柄の空白部は、
右図柄間隔又は左図柄間隔のうち、幅広に形成された図柄間隔の側に形成された空白部を、幅狭に形成された図柄間隔側に配置された空白部よりも狭く形成した
ことを特徴とするスロットマシン。
【請求項６】
請求項１、請求項２、請求項３、請求項４又は請求項５に記載のスロットマシンであって、
小役図柄は、複数個形成し、
左図柄間隔の幅又は右図柄間隔の幅は、同一回転リールの全ての小役図柄間において共通となるように形成したことを特徴とするスロットマシン。
【請求項７】
請求項１、請求項２、請求項３、請求項４又は請求項５に記載のスロットマシンであって、
小役図柄は、複数個形成し、
左図柄間隔の幅又は右図柄間隔の幅は、同一回転リールの前記各小役図柄間において異なる場合があるように形成したことを特徴とするスロットマシン。
【請求項８】
請求項１、請求項２、請求項３、請求項４、請求項５、請求項６又は請求項７に記載のスロットマシンであって、
小役図柄は、複数個形成し、
小役図柄の背景部は、同一回転リールにおいて、同一の色彩に着色されたことを特徴とするスロットマシン。
【請求項９】
請求項１、請求項２、請求項３、請求項４、請求項５、請求項６、請求項７又は請求項８に記載のスロットマシンであって、
特定の図柄は、複数個形成し、
特定の図柄の背景部は、同一回転リールにおいて、同一の色彩に着色されたことを特徴とするスロットマシン。
【発明の詳細な説明】
【技術分野】
【０００１】
この発明は、スロットマシンに関し、回転する回転リールの図柄を目視しながら、表示窓に特定の図柄が停止するようにストップスイッチを操作する、いわゆる目押しを、遊技者が容易に行うことのできるように、回転リールのリールテープに表される、図柄と図柄以外の背景領域に表された背景部を配置しようとするものである。
【背景技術】
【０００２】
従来、この種のスロットマシンとしては、図柄のうち特定の図柄が配置されたリールテープの端部を、その基準線から、隣接するリールの回転を妨げない位置まで拡張して前記リールに捲装して成り、前記リールテープに配置される特定の図柄は、その一部が前記基準線からはみ出して描かれたものが知られている。
【特許文献１】特開２００６−２４５６０３号公報
【発明の開示】
【発明が解決しようとする課題】
【０００３】
しかし、上記した従来のスロットマシンでは、特定の図柄は、その一部が基準線からはみ出したのみであるから、回転リールが回転してしまうと、他の隣接している図柄と区別がし難く、目押しを容易にする効果としては不十分であるといった問題点があった。
そこで、各請求項にそれぞれ記載された各発明は、上記した従来の技術の有する問題点に鑑みてなされたものであり、その目的とするところは、次の点にある。
【０００４】
（請求項１）
すなわち、請求項１に記載の発明は、次の点を目的とする。
すなわち、請求項１に記載の発明は、背景部の色彩を異なるものとすることにより、特定の図柄と特定の図柄以外の通常の図柄とを見分け易くし、遊技者による目押しが極めて容易なスロットマシンを提供しようとするものである。
【０００５】
（請求項２）
請求項２に記載の発明は、上記した請求項１に記載の発明の目的に加え、次の点を目的とする。
すなわち、請求項２に記載の発明は、背景部の明度を異なるものとすることにより、更に特定の図柄と特定の図柄以外の通常の図柄とを見分け易くすることにより、遊技者による目押しが極めて容易なスロットマシンを提供しようとするものである。
【０００６】
（請求項３）
請求項３に記載の発明は、上記した請求項１又は請求項２に記載の発明の目的に加え、次の点を目的とする。
すなわち、請求項３に記載の発明は、通常の図柄のうち、小役図柄を幅方向の左端部からリールテープの左端部までの間隔である左図柄間隔の幅又は幅方向の右端部から前記リールルテープの右端部までの間隔である右図柄間隔の幅を、いずれか一方の間隔の幅よりもいずれか他方の間隔の幅を広く形成することにより、小役図柄を見分け易くし、遊技者による目押しが極めて容易なスロットマシンを提供しようとするものである。
【０００７】
（請求項４）
請求項４に記載の発明は、上記した請求項１、請求項２又は請求項３に記載の発明の目的に加え、次の点を目的とする。
すなわち、請求項４に記載の発明は、小役図柄の間隔の幅を広くした左図柄間隔又は右図柄間隔と同じ側に、小役図柄よりもリールテープの端部方向に突出した突出部分を形成することにより、小役図柄とは明確に区別可能なスロットマシンを提供しようとするものである。
【０００８】
（請求項５）
請求項５に記載の発明は、上記した請求項１、請求項２、請求項３又は請求項４に記載の発明の目的に加え、次の点を目的とする。
すなわち、請求項５に記載の発明は、小役図柄の空白部は、右図柄間隔又は左図柄間隔のうち、幅広に形成された図柄間隔の側に形成された空白部を、幅狭に形成された図柄間隔側に配置された空白部よりも狭く形成することにより、小役図柄が他の図柄から区別し易いスロットマシンを提供しようとするものである。
【０００９】
（請求項６）
請求項６に記載の発明は、上記した請求項１、請求項２、請求項３、請求項４又は請求項５に記載の発明の目的に加え、次の点を目的とする。
すなわち、左図柄間隔の幅又は右図柄間隔の幅は、同一回転リールの全ての小役図柄間において共通となるように形成することにより、全ての小役図柄が小役図柄であることが認識し易いスロットマシンを提供しようとするものである。
【００１０】
（請求項７）
請求項７に記載の発明は、上記した請求項１、請求項２、請求項３、請求項４又は請求項５に記載の発明の目的に加え、次の点を目的とする。
すなわち、請求項７に記載の発明は、小役図柄は、複数個形成し、左図柄間隔の幅又は右図柄間隔の幅は、同一回転リールの前記各小役図柄間において異なる場合があるように形成することにより、小役図柄には、小役図柄と認識しやすいものと比較的そうでないものが混在するスロットマシンを提供しようとするものである。
【００１１】
（請求項８）
請求項８に記載の発明は、上記した請求項１、請求項２、請求項３、請求項４、請求項５、請求項６又は請求項７に記載の発明の目的に加え、次の点を目的とする。
すなわち、請求項８に記載の発明は、全ての小役図柄の背景部を色彩の点で共通化することにより、背景の色彩が識別できれば、必然的に小役図柄が認識し易いスロットマシンを提供しようとするものである。
【００１２】
（請求項９）
請求項１、請求項２、請求項３、請求項４、請求項５、請求項６、請求項７又は請求項８に記載の発明の目的に加え、次の点を目的とする。
すなわち、請求項９記載の発明は、全ての特定の図柄の背景部を色彩の点で共通化することにより、背景の色彩が識別できれば、必然的特定の図柄が小役図柄が認識し易いスロットマシンを提供しようとするものである。
【課題を解決するための手段】
【００１３】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
【００１４】
（請求項１）
請求項１に記載の発明は、次の点を特徴とする。
第１に、スロットマシン(10)は、例えば図１に示すように、次の構成を備える。
（１）回転リール(31〜33)
回転リール(31〜33)は、複数種類（例えば７種類（「スイカ」、「７」、「ベル」、「チェリー」ほか、））であって、かつ、複数個（例えば２１個）の図柄から構成される図柄列を繰り返し変動表示可能なものである。回転リール(31〜33)は、複数個（例えば３個）の集合体によってリールユニット(30)を構成する。
なお、リールユニット(30)を例示したが、これに限定されず、複数種類であって、かつ、複数個の図柄からなる図柄列を繰り返し変動表示可能なものであれば、液晶等の画像を表示する装置を用いてもよい。
また、図柄の例として、「スイカ」、「７」、「ベル」、「チェリー」の４つを例示したが、図柄の種類及び図柄の数のいずれも複数であればよく、図柄の数、種類はこれに限らない。
さらに、回転リール(31〜33）の数は、３個と例示したが、これに限らず、例えば２個や４個であってもよい。
（２）表示窓(20)
表示窓(20)は、例えば図２に示すように、透明な方形の窓であって、回転リール(31〜33）が臨んでいるものである。
該表示窓(20)を介して、スロットマシンの内部に設置された回転リール(31〜33）を目視可能としている。
また、表示窓(20)には、回転リール(31〜33）による図柄列の変動表示が行われ、各回転リール(31〜33）ごとに、複数個の図柄（例えば３個）が視認可能な状態で停止表示される。
（３）ライン(40〜44)
ライン(40〜44)は、例えば図２に示すように、表示窓(20)に表示されている。
ライン(40〜44)は、複数個の回転リール(31〜33）にまたがり、当該回転リール(31〜33）の役の入賞の判定を行うためのものである。
ライン(40〜44)は、図２に示すように、複数本（例えば５本）表示されている。
なお、ラインの表示数は、５本に限られない。ラインの表示数は、３本でも６本であってもよい。
（４）駆動手段
駆動手段は、リールユニットに設けられ、複数個のリールを個別に回転駆動するものである。
駆動源は、リールモータ(34〜36)が用いられる。
（５）スタートスイッチ(80)
スタートスイッチ(80)は、遊技媒体（例えばメダル）の投入を条件に、リール(31〜33）による図柄列の変動表示を開始させるためのものである。
なお、遊技媒体として、メダルを例示したが、これに限定されず、例えばカードの度数等を用いてもよい。
また、遊技に供するための遊技媒体であるメダルの投入は、メダルをメダル投入口(60)から直接、投入してもよい。また、メダル投入口(60)から予め投入することによりクレジットされたメダルを、ベットスイッチ(70,71)の操作により投入するようにしてもよいし、更には、その双方を組み合わせてもよい。
（６）ストップスイッチ(90〜92)
ストップスイッチ(90〜92)は、複数個、例えば３個有り、回転リール(31〜33)による図柄列の変動表示を停止可能なものである。
なお、ストップスイッチ(90〜92)の個数として、３個を例示したが、これに限定されず、２個、或いは４個以上設けてもよい。
（７）遊技制御装置(200)
遊技制御装置(200)は、回転リール(31〜33）、スタートスイッチ(80)、複数個（例えば３個）のストップスイッチ(90〜92)にそれぞれ接続され、スタートスイッチ(80)の操作を条件に、回転リール(31〜33)の図柄列の変動表示を開始させ、ストップスイッチ(90〜92)の操作にもとづいて回転リール(31〜33)による図柄列の変動表示を個別に停止させることなどで遊技を進行するためのものである。
第２に、各回転リール(31〜33)は、次の構成を備える。
（８）リールテープ(37〜39)
リールテープ(37〜39)は、図２に示すように、帯状に形成している。
（９）リール本体(30a)
リール本体(30a)は、例えば図３に示すように、リールテープ(37〜39)を、その外周に巻き付けるためのものである。
第３に、リールテープ(37〜39)には、次の構成を備える。
（１０）図柄
図柄(50)は、リールテープ(37〜39)の長さ方向（回転リールの回転方向）の所定の間隔毎に配列表示されたものである。
（１１）背景部
背景部(51)は、図柄(50)を除く背景領域に設けられ、リールテープ(37〜39)の地色とは異なる色彩に着色されたものである。
リールテープ(37〜39)の地色は、例えば「白色」である。リールテープ(37〜39)の地色とは異なる色は、例えば「黒色」である。
なお、リールテープ(37〜39)の地色は、「白色」に限定されない。また、背景部(51)の色彩は、リールテープ(37〜39)の地色とは異なる色彩に着色されたものであればよく、「黒色」に限定されないし、リールテープ(37〜39)の色彩と全体として区別可能であれば柄模様に着色されたものであってもよい。
第４に、背景部図柄(51)には、図４に示すように、次の構成を備えた。
（１２）第１背景部
第１背景部(51a)は、特定の図柄(53)の背景領域に設けられるとともに、第一の色彩で彩色されたものである。
特定の図柄は、例えば「７」である。特定の図柄は「７」に限られない。
第一の色彩は、例えば「赤色」である。第一の色彩は、「赤色」に限られない。
（１３）第２背景部
第２背景部(51b)は、特定の図柄以外の通常の図柄の背景領域に設けられるとともに、第一の色彩とは異なる第二の色彩で彩色されたものである。
【００１５】
（請求項２）
請求項２に記載の発明は、上記した請求項１に記載の発明の特徴点に加え、次の点を特徴とする。
すなわち、第一の色彩は、第一の色彩よりも高い明度で形成したものである。
【００１６】
（請求項３）
請求項３に記載の発明は、上記した請求項１又は請求項２に記載の発明の特徴点に加え、次の点を特徴とする。
すなわち、通常の図柄には、次の構成を備えている。
（１４）小役図柄
小役図柄は、幅方向の左端部からリールテープ(37〜39)の左端部までの間隔である左図柄間隔(L1)の幅又は幅方向の右端部からリールルテープ(37〜39)の右端部までの間隔である右図柄間隔(L2)の幅を、いずれか一方の間隔の幅よりもいずれか他方の間隔の幅を広く形成したものである。
【００１７】
（請求項４）
請求項４に記載の発明は、上記した請求項１、請求項２又は請求項３記載の発明の特徴点に加え、次の点を特徴とする。
すなわち、特定の図柄(53)には、次の構成を備えた。
（１５）突出部分
突出部分(54)は、小役図柄の間隔の幅を広くした左図柄間隔(L1)又は右図柄間隔(L2)と同じ側に、小役図柄(52)よりもリールテープ(37〜39)の端部方向に突出したものである。
【００１８】
（請求項５）
請求項５に記載の発明は、上記した請求項１、請求項２、請求項３又は請求項４に記載の発明の特徴点に加え、次の点を特徴とする。
すなわち、背景部(51)の幅方向の両側には、次の構成を備えている。
（１４）空白部
空白部(W1,W2)は、リールテープ(37〜39)の両側部との間に、該リールテープ(37〜39)の地色と同一の色としたものである。
また、小役図柄(52)の空白部(W1,W2)は、右図柄間隔(W2)又は左図柄間隔(W1)のうち、幅広に形成された図柄間隔の側に形成された空白部(W1,W2)を、幅狭に形成された図柄間隔側に配置された空白部(W2,W1)よりも狭く形成したものである。
【００１９】
（請求項６）
請求項６に記載の発明は、上記した請求項１、請求項２、請求項３、請求項４又は請求項５に記載の発明の特徴点に加え、次の点を特徴とする。
すなわち、小役図柄(52)は、複数個形成したものである。
また、左図柄間隔(L1)の幅又は右図柄間隔(l2)の幅は、同一回転リールの全ての小役図柄間(52)において共通となるように形成したものである。
【００２０】
（請求項７）
請求項７に記載の発明は、上記した請求項１、請求項２、請求項３、請求項４又は請求項５に記載の発明の特徴点に加え、次の点を特徴とする。
すなわち、小役図柄(52)は、複数個形成したものである。
また、左図柄間隔(L1)の幅又は右図柄間隔(L2)の幅は、同一回転リール(31〜33)の各小役図柄間(52)において異なる場合があるように形成したものである。
【００２１】
（請求項８）
請求項８に記載の発明は、上記した請求項１、請求項２、請求項３、請求項４、請求項５、請求項６、請求項７又は請求項８に記載の発明の特徴点に加え、次の点を特徴とする。
すなわち、小役図柄(52)は、複数個形成したものである。
また、小役図柄(52)の背景部(51b)は、同一回転リール(31〜33)において、同一の色彩に着色されたものである。
【００２２】
（請求項９）
請求項９に記載の発明は、上記した請求項１、請求項２、請求項３、請求項４、請求項５、請求項６、請求項７又は請求項８に記載の発明の特徴点に加え、次の点を特徴とする。
すなわち、特定の図柄(53)は、複数個形成したものである。
また、特定の図柄(53)の背景部(51a)は、同一回転リール(31〜33)において、同一の色彩に着色されたものである。
【発明の効果】
【００２３】
本発明は、以上のように構成されているので、以下に記載されるような効果を奏する。
（請求項１）
請求項１に記載の発明によれば、次のような効果を奏する。
すなわち、請求項１に記載の発明によれば、背景部の色彩を異なるものとすることにより、特定の図柄と特定の図柄以外の通常の図柄とを見分け易くし、遊技者による目押しが極めて容易なスロットマシンを提供することができる。
【００２４】
（請求項２）
請求項２に記載の発明によれば、上記した請求項１に記載した効果に加え、次のような効果を奏する。
すなわち、請求項２に記載の発明によれば、背景部の明度を異なるものとすることにより、更に特定の図柄と特定の図柄以外の通常の図柄とを見分け易くすることにより、遊技者による目押しが極めて容易なスロットマシンを提供することができる。
【００２５】
（請求項３）
請求項３に記載の発明によれば、上記した請求項１又は請求項２に記載の発明の効果に加え、次のような効果を奏する。
すなわち、請求項３に記載の発明によれば、通常の図柄のうち、小役図柄を幅方向の左端部からリールテープ(37〜39)の左端部までの間隔である左図柄間隔の幅又は幅方向の右端部からリールルテープ(37〜39)の右端部までの間隔である右図柄間隔の幅を、いずれか一方の間隔の幅よりもいずれか他方の間隔の幅を広く形成することにより、小役図柄を見分け易くし、遊技者による目押しが極めて容易なスロットマシンを提供することができる。
【００２６】
（請求項４）
請求項４に記載の発明は、上記した請求項２又は３に記載の発明の効果に加え、次のような効果を奏する。
すなわち、請求項４記載の発明によれば、小役図柄の間隔の幅を広くした左図柄間隔又は右図柄間隔と同じ側に、小役図柄よりもリールテープ(37〜39)の端部方向に突出した突出部分を形成することにより、小役図柄とは明確に区別可能なスロットマシンを提供することができる。
【００２７】
（請求項５）
請求項５に記載の発明によれば、上記した請求項１、請求項２、請求項３又は請求項４に記載の発明の効果に加え、次のような効果を奏する。
すなわち、請求項５に記載の発明によれば、小役図柄の空白部は、右図柄間隔又は左図柄間隔のうち、幅広に形成された図柄間隔の側に形成された空白部を、幅狭に形成された図柄間隔側に配置された空白部よりも狭く形成することにより、小役図柄が他の図柄から区別し易いスロットマシンを提供することができる。
【００２８】
（請求項６）
請求項１、請求項２、請求項３、請求項４又は請求項５に記載の発明の効果に加え、次のような効果を奏する。
すなわち、請求項６に記載の発明によれば、左図柄間隔の幅又は右図柄間隔の幅は、同一回転リールの全ての小役図柄間において共通となるように形成することにより、全ての小役図柄が小役図柄であることが認識し易いスロットマシンを提供することができる。
【００２９】
（請求項７）
請求項１、請求項２、請求項３、請求項４又は請求項５に記載の発明の効果に加え、次のような効果を奏する。
すなわち、請求項７に記載の発明によれば、小役図柄は、複数個形成し、
左図柄間隔の幅又は右図柄間隔の幅は、同一回転リールの各小役図柄(52)間において異なる場合があるように形成することにより、小役図柄には、小役図柄と認識しやすいものと比較的そうでないものが混在するスロットマシンを提供することができる。
【００３０】
（請求項８）
請求項１、請求項２、請求項３、請求項４、請求項５、請求項６又は請求項７に記載の発明の効果に加え、次のような効果を奏する。
すなわち、請求項８に記載の発明によれば、全ての小役図柄の背景部を色彩の点で共通化することにより、背景の色彩が識別できれば、必然的に小役図柄が認識し易いスロットマシンを提供することができる。
【００３１】
（請求項９）
請求項１、請求項２、請求項３、請求項４、請求項５、請求項６、請求項７又は請求項８に記載の発明の効果に加え、次のような効果を奏する。
すなわち、請求項９に記載の発明によれば、全ての特定の図柄の背景部を色彩の点で共通化することにより、背景の色彩が識別できれば、必然的特定の図柄が小役図柄が認識し易いスロットマシンを提供することができる。
【発明を実施するための最良の形態】
【００３２】
（図面の説明）
図１〜図５は、本発明の実施の形態の一例をそれぞれ示すものである。
図１は、２つの図柄を表したリールテープの一部の正面図、図２はスロットマシンの概略正面図、図３はリールユニットの斜視図、図４は５つの図柄を表したリールテープの一部の正面図、図５はスロットマシンの制御の概略を示すブロック図、図６は異なる実施の形態において、５つの図柄を表したリールテープの一部の正面図をそれぞれ示すものである。
【００３３】
（スロットマシン10）
図２中、10は、スロットマシンを示すものである。
スロットマシン10の上方の中央には、画像表示装置11を設けている。
画像表示装置11は、画像を表示可能なものであり、例えば液晶ユニットから構成されている。
なお、画像表示装置11は、液晶ユニットに限定されず、ドット・マトリックス等から構成してもよい。
また、画像表示装置11の左右の両側には、図２に示すように、左右一対のスピーカ12,12が配置されている。スピーカ12,12からは、各種の効果音が発生される。
画像表示装置11の下方には、透明な方形の表示窓20を設けている。
表示窓20の内部には、表示窓20を臨むように、図柄を変動表示するためのリールユニット30を設けている。
なお、図柄を変動表示するために、リールユニット30を用いたが、これに限定されず、液晶等を用いてもよい。
【００３４】
リールユニット30は、図３に示すように、互いに隙間を挟んで配置された、左側の回転リール31、中央の回転リール32、右側の回転リール33を備えている。
リールユニット30には、図には示さないが、各回転リール31〜33を個々に回転可能な、複数個、例えば３個の回転リール31〜33と同数の３個のリールモータ(34〜36（図５参照）)とを備える。
なお、回転リール31〜33及びリールモータ34〜36の個数は、３個に限定されず、２個、或いは４個以上でもよい。
【００３５】
（回転リール31〜33）
各回転リール31〜33は、図３に示すように、リング状のリール本体30aと、このリール本体30aの外周面に巻き付けるように貼付された帯状のリールテープ37〜39とを備える。
【００３６】
（リールテープ37〜39）
リールテープ37〜39は、図３に示すように、向かって左側から左側の回転リール31に巻き付けられた左のリールテープ37、中央のリール32に巻き付けられた中央のリールテープ38、右側の回転リール33に巻き付けられたリールテープ39とから構成されている。
各リールテープ37〜39には、図１及び図４に示すように、帯の長さ方向に、所定の間隔を介した位置に、複数種類の図柄50を配置している。
したがって、リールテープ37〜39が各回転リール31〜33が回転することにより、図柄(50)が各回転リール31〜33の回転方向と同じく上から下に向かって移動するようにみえる。
なお、リールテープ37〜39は、図３に示すように、リール本体30aに巻き付けられて環状をなしているので、ある図柄50は、他の図柄50に対して回転方向の後方に位置していることとなる。
なお、本実施の形態の説明においては、３つの回転リール31〜33のうち、いずれか一つを例に説明し、他の回転リール31〜33の説明を省略するが、特に断りのない限り、いずれの回転リール31〜33においても同じ構成を備えている。
また、リールテープ37には、図１及び図４に示すように、次の構成を備える。
次の（１）及び（２）の構成の説明については、後述する。
（１）図柄
（２）背景部
なお、リールテープ37の構成は、先の二つに限定されない。
【００３７】
（図柄50）
図柄(50)は、図１及び図４に示すように、リールテープ(37〜39)の長さ方向（回転リールの回転方向）の所定の間隔毎に配列表示されたものである。
また、図柄には、次の（１）及び（２）の２つの構成を備えている。
（通常の図柄）
通常の図柄は、後述する特定の図柄以外の図柄をいう。
また、通常の図柄は、次の構成を含んでいる。
【００３８】
（小役図柄52）
小役図柄52は、該図柄が揃うことで、一定枚数のメダルの払出しが行なわれる図柄であって、本実施の形態では、図４に示すように、リールテープ37の上から一番目、３番目と４番目に配置されている。
そして、小役図柄52は、図１に示すように、幅方向の左端部からリールテープ37の左端部までの間隔である左図柄間隔L1の幅を、幅方向の右端部からリールテープ37の右端部までの間隔である右図柄間隔L2の幅よりも広く形成している。
また、小役図柄52は、図４に示すように、回転リール31〜33の後方に向かって２つ連続するように配置されている。
なお、本実施の形態では、小役図柄52は、幅方向の左端部からリールテープ37の左端部までの間隔である左図柄間隔L1の幅を、幅方向の右端部からリールルテープ37の右端部までの間隔である右図柄間隔L2の幅よりも広く形成した。
しかし、異なる実施の形態では、小役図柄52は、幅方向の右端部からリールルテープ37の右端部までの間隔である右図柄間隔L2の幅を、幅方向の左端部からリールテープの左端部までの間隔である左図柄間隔L1の幅よりも広く形成したものであってもよい。
また、小役図柄52は、回転リール31〜33の後方に向かって２つ連続するように配置されていると説明したが、小役図柄52が連続する数は２つに限られず、例えば３つ以上であってもよい。
【００３９】
（特定の図柄）
特定の図柄53は、本実施の形態では、図４に示すように、リールテープ37の上から２番目と５番目に配置された「７」である。
特定の図柄53は、メダルの払い出しへの期待感の高い遊技、例えば特別遊技へ移行するために入賞することが条件となる図柄である。
そして、特定の図柄53は、図１に示すように、小役図柄52の間隔の幅を広くした左図柄間隔L1と同じ左側に、小役図柄52よりも突出した突出部分54を有する。
なお、本実施の形態では、特定の図柄53は、小役図柄52の間隔の幅を広くした左図柄間隔L1と同じ左側に、小役図柄52よりも突出した突出部分54を有すると説明した。
しかし、異なる実施の形態では、特定の図柄53の突出部分54は、小役図柄52の両間隔L1,L2のうち、広く形成した間隔とは逆の間隔に突出するものである。
したがって、先に説明した異なる実施の形態においては、小役図柄52は、幅方向の右端部からリールルテープ37の右端部までの間隔である右図柄間隔L2の幅を、幅方向の左端部からリールテープ37の左端部までの間隔である左図柄間隔L1の幅よりも広く形成したものであるときには、特定の図柄53は、小役図柄52の間隔の幅を広くした右図柄間隔L2と同じ右側に、小役図柄52よりも突出した突出部分54を有するものである。
また、左図柄間隔L1の幅又は右図柄間隔L2の幅は、図には詳しく説明しないが、同一の各回転リール31〜33の全ての特定の図柄53間において共通となるように形成している。
【００４０】
（背景部51）
背景部51は、図１に示すように、リールテープ(37〜39)の図柄(50)を除く背景領域に設けられ、リールテープ(37〜39)の地色とは異なる色彩に着色された部分である。
リールテープ(37〜39)の地色は、本実施の形態では、「白色」である。
また、特定の図柄53である（「７」）の背景領域には、図１及び図４に示すように、第一の色彩（赤色）に彩色されている第１の背景部51aを設けている。
なお、特定の図柄53は「７」に限られないし、第１の背景部51aの色彩は赤色に限定されない。
さらに、小役図柄52の背景領域には、図４に示すように、第一の色彩とは異なる第二の色彩（黒色）で彩色されている第２の背景部51bを設けている。
また、小役図柄52の第２の背景部51bは、特定の図柄53の突出部分よりも低い明度で形成されている。すなわち、特定の図柄53の突出部分54は、第２の背景部51bよりも高い明度で形成されている。
また、第２の背景部51bの色彩は、「黒色」に限定されない。第２の背景部51bの色彩は、リールテープ37〜39の地色及び第１の背景部51aの色彩とは異なる色彩に着色されたものであればよく、リールテープ37〜39の色彩及び第１の背景部51aの色彩と全体として区別可能であれば柄模様に着色されたものであってもよい。
さらに、特定の図柄53は、図４に示すように、リールテープ37の一番下の特定の図柄53から回転リール31〜33の回転方向の後方に２つの小役図柄52を介して、再び特定の図柄53を配置している。
したがって、背景部51が左側に寄っている小役図柄52が二つ連続して表示窓20から見えた後に、背景部51が寄った位置と同じ位置に、低い明度で形成した背景部よりも明るい明度で形成した特定の図柄53の突出部分54が目立って見えるので、遊技者が特定の図柄53であることを把握しやすく、それを狙って後述するストップスイッチ90〜92を操作することができる。
また、本実施の形態では、左図柄間隔の幅L1又は右図柄間隔L2の幅は、図には詳しく説明しないが、同一回転リール31〜33の全ての特定の図柄53間において共通となるように形成していると説明したが、左図柄間隔L1の幅又は右図柄間隔L2の幅は、同一回転リール31〜33の各特定の図柄53間において異なる場合があるように形成したものであってもよい。
なお、本実施の形態では、リールテープ37の一番下の特定の図柄53から回転リール31〜33の回転方向の後方に２つの小役図柄52を介して、再び特定の図柄53を配置したが、配置した小役図柄52の数は２つの限られず、例えば１つであってもよく、３つ以上の小役図柄52を配置するものであってもよい。
さらに、小役図柄52及び特定の図柄53の背景部51は、互いの明度を異にして形成されている。本実施の形態では、背景部51は、突出部分54よりも低い明度で形成している。
なお、異なる実施の形態では、小役図柄52の背景部54と特定の図柄53の背景部54とでは、異なる柄が形成されているものであってもよいし、色彩、明度、柄が組み合わさって異なるように見えるものであってもよい。
背景部54の幅方向の両側には、図１に示すように、前記リールテープ37の両側部との間に、該リールテープ37の地色（本実施の形態では、「白色」）と同一の色彩の空白部W1,W2を各々設けている。
【００４１】
（空白部）
背景部54の幅方向の両側には、図１に示すように、前記リールテープ37の両側部との間に、該リールテープ37の地色（本実施の形態では、「白色」）と同一の色彩の空白部W1,W2を各々設けている。
そして、小役図柄52に対応する空白部W1,W2のうち、幅広に形成された小役図柄52の左図柄間隔L1側に配置された空白部W1を、図１及び図４に示すように、幅狭に形成された右図柄間隔L2側に配置された空白部W2よりも狭く形成している。
また、特定の図柄53に対応する空白部W1,W2は、両空白部W1,W2とも、同じ幅に形成されている。
したがって、図４に示すように、小役図柄52の回転リール31〜33の回転方向の前方に、特定の図柄53を配置しているので、小役図柄52の空白部W2が特定の図柄の空白部W2と区別し易い傾向がある。
そして、小役図柄52の直後に特定の図柄53が配置されているので、特定の図柄53を把握し易い傾向がある。
したがって、特定の図柄53であることを遊技者が把握し易ければ、それを狙ってストップスイッチ90〜92を操作することができる。
なお、異なる実施の形態では、小役図柄52の両間隔L1,L2のうち、右図柄間隔L2が左図柄L1間隔よりも幅広に形成されたときには、幅広に形成された小役図柄52の右図柄間隔L2側に配置された空白部W2は、幅狭に形成された左図柄間隔L1側に配置された空白部W1よりも狭く形成すればよい。
また、特定の図柄の空白部W1,W2の幅は、図４に示すように、同一の回転リール31〜33の特定の図柄53間において、各々共通するように形成している。
さらに、小役図柄の空白部W1,W2の幅は、図４に示すように、同一の回転リール31〜33の小役図柄52間において、共通するように形成している。
しかし、異なる実施の形態においては、各空白部W1,W2の幅は、同一の回転リール31〜33の小役図柄52又は特定の図柄53間において、異なるように形成してもよい。
また、上記の形態においては、いずれの回転リール31〜33においても同じ構成を備えていると説明したが、異なる実施の形態では、各回転リール31〜33のうち、いずれか一つの回転リール31〜33が備えるものであってもよく、また、いずれか二つの回転リール31〜33が備えるものであってもよい。
【００４２】
（表示窓20）
各表示窓20には、複数段、例えば上・中・下段の計３個の位置に、それぞれ図柄が停止表示されるようにしている。
なお、図柄が停止表示される位置は、これに限られず、上・中上・中下・下段の計４個の位置に停止表示するようにしてもよいし、１個の位置に停止表示するようにしてもよい。
各表示窓20には、図２に示すように、図柄の停止位置を跨るように、ライン40〜44を表示している。
【００４３】
（ライン40〜44）
ライン40〜44は、図２に示すように、５本のライン40〜44からなっている。ライン40〜44は、役の入賞の判定を行うためのものである。
メダルの払出が行われる図柄の組み合わせに一致しているか否かの判断は、各ライン40〜44毎に行う。
５本のライン40〜44は、図２に示すように、上・中・下ライン40〜42、右下がりライン43、右上がりライン44の合計５本のラインからなっている。
上ライン40は、図２に示すように、３つの表示窓20の上段に停止表示された図柄を結ぶライン、中ライン41は、３つの表示窓20の中段に表示されたライン、下ライン42は、３つの表示窓20の下段に表示されたラインである。
右下がりライン43は、図２に示すように、左の表示窓20の上段、中央の表示窓20の中段、右の表示窓20の下段を結ぶ向かって右側が次第に低くなる斜めのラインである。
右上がりライン44は、図２に示すように、左の表示窓20の下段、中央の表示窓20の中段、右の表示窓20の上段を結ぶ向かって右側が次第に高くなる斜めのラインである。
上記のライン40〜44は、本実施の形態では、表示窓20に表示されていると説明した。
しかし、ライン40〜44は、役の入賞の判定を行うためのものであればよく、異なる実施の形態においては、表示窓20に表示されていなくともよい。また、ライン40〜44は、異なる実施の形態においては、役の入賞の判定を行うときにのみ、表示窓20に表示するようにしてもよい。
【００４４】
（メダル投入口60等）
表示窓20の下側には、図２の向かって右側に、メダル投入口60を設けている。メダル投入口60は、メダルを投入するためのものである。
メダル投入口60の図２の向かって左側には、複数個、例えば２個のベットスイッチ70,71を設けている。２個のベットスイッチ70.71のうち、図２の向かって右側のマックスベットスイッチ70は、最大投入枚数、例えば３枚のクレジットメダルをスロットマシン10の内部に投入するためのものである。マックスベットスイッチ70の左側に位置する２ベットスイッチ71は、２枚のクレジットメダルをスロットマシン10の内部に投入するためのものである。
なお、ベットスイッチ70,71の個数は、２個に限定されず、単数としてもよいし、あるいは３個以上としてもよい。
２個のベットスイッチ70,712の下側には、図２に示すように、スタートスイッチ80を設けている。
スタートスイッチ80は、リールユニット30の駆動を開始するためのものである。具体的には、スタートスイッチ80は、レバー状に形成され、レバーを傾けることで操作する。スタートスイッチ80を操作すると、リールユニット30の駆動が開始され、３個のリールモータ34〜36（図５参照）が回転する。
スタートスイッチ80の向かって右隣には、図４に示すように、複数個、例えば３個の回転リール31〜33と同数の３個のストップスイッチ90〜92を設けている。
３個のストップスイッチ90〜92は、リールユニット30の駆動を停止するためのものである。向かって左側のストップスイッチ90を操作すると、左側の回転リール31の回転が停止する。同様に、中央のストップスイッチ91を操作すると、中央の回転リール32の回転が停止する。
右側のストップスイッチ92を操作すると、右側の回転リール33の回転が停止する。
なお、ストップスイッチ90〜92は、３個に限定されず、回転リール31〜33やリールモータ34〜36の個数と等しければよい。
３個のストップスイッチ90〜92の下方には、図２に示すように、メダル貯留皿100を設けている。
メダル貯留皿100には、ホッパーユニット110（図１参照）から払い出されたメダルが貯留される。
【００４５】
（遊技制御装置200）
次に、図１を用いて、遊技制御装置200について説明する。
遊技制御手段200は、スロットマシン10の内部に設けられ、遊技の進行を制御するためのものである。
具体的には、遊技制御装置200は、大別すると、次の２つの手段を備える。
なお、次の（１）〜（２）の手段の説明については、後述する。
（１）メイン制御手段300
（２）サブ制御手段400
なお、遊技制御手段200の手段は、上記した（１）〜（２）に限定されない。
（メイン制御手段300）
次に、図１を用いて、メイン制御手段300について説明する。
メイン制御手段300は、遊技の進行を制御するためのものである。
具体的には、メイン制御手段300は、コンピュータであって、図示しないが、例えばＣＰＵを中心に構成され、ＲＯＭやＲＡＭ等の記録媒体、Ｉ／Ｏ等を備えている。
また、記録媒体は、ＲＯＭやＲＡＭに限定されず、そのほか電気的・磁気的・光学的なメモリーやディスク等でもよい。
【００４６】
メイン制御手段300のＣＰＵ（図示せず）は、記録媒体、例えばＲＯＭに記録されたプログラムを読み込むことで、図１に示すように、次の手段として機能する。
なお、次の（１）〜（６）の手段の説明については、後述する。
（１）役抽選手段310
（２）リール停止制御手段320
（３）一般遊技制御手段330
（４）特別遊技制御手段340
（５）利益付与手段350
（６）信号送信手段360
なお、メイン制御手段300の手段は、上記した（１）〜（６）に限定されない。
【００４７】
（メイン制御手段300の入力段）
次に、図１を用いて、メイン制御手段300の入力段について説明する。
メイン制御手段300の入力段には、次のパーツがそれぞれ接続されている。
なお、メイン制御手段300の入力段に接続されるパーツは、次の（１）〜（4）に限定されない。
（１）メダルセンサ61
メダルセンサ61は、メダル投入口60の内部に設けられ、メダル投入口60に投入されたメダルを検出するためのものである。
（２）ベットスイッチ70,71
（３）スタートスイッチ80
（４）ストップスイッチ90〜92
【００４８】
（メイン制御手段300の出力段）
次に、図１を用いて、メイン制御手段300の出力段について説明する。
メイン制御手段300の出力段には、次のパーツがそれぞれ接続されている。
なお、メイン制御手段300の出力段に接続されるパーツは、次の（１）〜（３）に限定されない。
（１）リールモータ34〜36
（２）ホッパーユニット110
ホッパーユニット110は、スロットマシン10の内部に設けられている。
ホッパーユニット110は、表示窓20に停止表示された回転リール31〜33の図柄が、予め設定された図柄の組み合わせに一致する場合に、遊技者に所定枚数のメダルを払い出すためのものである。
（３）サブ制御手段400
【００４９】
（サブ制御手段400）
サブ制御手段400は、メイン制御手段300に接続され、メイン制御手段300から一方向に送信される信号にもとづいて、各種の報知や演出を制御するためのものである。
具体的には、サブ制御手段400は、コンピュータであって、図示しないが、例えばＣＰＵを中心に構成され、ＲＯＭやＲＡＭ等の記録媒体、Ｉ／Ｏ等を備えている。
なお、サブ制御手段400のＣＰＵの数は、１個に限定されず、２個以上のＣＰＵを用いてもよい。
また、記録媒体は、ＲＯＭやＲＡＭに限定されず、そのほか電気的・磁気的・光学的なメモリーやディスク等でもよい。
【００５０】
上記サブ制御手段400のＣＰＵ（図示せず）は、記録媒体、例えばＲＯＭに記録されたプログラムを読み込むことで、図１に示すように、大別すると、次の手段として機能する。
なお、次の（１）〜（３）の手段の説明については、後述する。
（１）信号受信手段410
（２）演出表示手段420
（３）効果音発生手段430
なお、サブ制御手段400は、上記した（１）〜（３）に限定されない。
【００５１】
（サブ制御手段400の入力段）
次に、図１を用いて、サブ制御手段400の入力段について説明する。
サブ制御手段400の入力段には、次のパーツが接続されている。
（１）メイン制御手段300
（サブ制御手段400の出力段）
次に、図１を用いて、サブ制御手段400の出力段について説明する。
サブ制御手段400の出力段には、次のパーツがそれぞれ接続されている。
（１）画像表示装置11
（２）スピーカ12,12
なお、サブ制御手段400の出力段に接続されるパーツは、上記した（１）〜（２）に限定されない。
【００５２】
（役抽選手段310）
役抽選手段310は、役の当選の可否を抽選により決定するためのものである。
役抽選手段310は、図には示さないが、抽選テーブルを用いて、役の当否を抽選により決定するものである。
まず、役の当否には、次の種類がある。
（１）役の当選
（２）ハズレ
なお、次の（３）〜（５）の役の説明については、後述する。
また、役は、役のうち１個だけ当選する場合のほか、複数の役が同時に２以上、当選する場合もあり、抽選手段310はいわゆるグループ抽選が可能となっている。
（３）小役
小役には、「プラム」、「チェリー」、「ベル」、「スイカ」の４種類が含まれる。
なお、小役は、上記の５種類に限定されない。
（４）リプレイ（再遊技）
（５）ボーナス（特別遊技）
なお、役の種類は、上記した（３）〜（５）に限定されない。
【００５３】
（ボーナス）
ボーナスは、特別遊技の一例である。
特別遊技は、抽選テーブルの小役等の当選確率が高確率に設定された抽選テーブルを用いて抽選が行われ、結果として、メダルの払い出しへの期待感の高い遊技である。
なお、特別遊技として、ボーナスを例示したが、これに限定されない。
ボーナスには、次の種類がある。
なお、ボーナスの種類は、次の（１）〜（２）に限定されない。
【００５４】
（１）ビックボーナス
ビックボーナスは、通常の遊技よりも有利な条件で行う遊技への移行役である。
すなわち、特定の図柄、例えば「７」が揃って入賞することを条件に、一般遊技から、特別遊技であるビックボーナスへ移行させるための役である。
なお、特定の図柄の入賞時に、メダルを払い出さなくともよいし、或いはメダルを１枚払い出すようにしてもよい。
ビックボーナスの開始後、遊技者がメダルを３枚投入すると仮定すると、トータルで約２８８枚のメダルが獲得可能であり、例えば３４５枚を超える払い出しで終了する。
【００５５】
（２）ＲＥＧ大当り
ＲＥＧ大当りは、いわゆるレギュラー・ボーナス（以下、「ＲＥＧ」という。）への移行役である。
ＲＥＧの開始後、遊技者がメダルを３枚投入すると仮定すると、トータルで約９６枚のメダルが獲得可能である。ＲＥＧは、最高１２回のゲームか、８回の入賞か、何れか先に達成された条件により終了する。
【００５６】
（リール停止制御手段320）
リール停止制御手段320は、役抽選手段310の抽選結果、及びストップスイッチ90〜92のそれぞれの操作にもとづいて、駆動手段（例えばリールモータ34〜36）の駆動を制御することで、当該操作に対応する回転リールを停止制御するためのものである。
例えば、リール停止制御手段320は、役抽選手段310の抽選結果が特定の図柄「７」の当選であるときに、ストップスイッチ90〜92の操作から違和感を抱かれない所定コマ数（例えば４コマ）の範囲内での回転リール31〜33の回転で特定の図柄「７」が表示窓20のライン上40〜44に停止させることができるときには、特定の図柄「７」を表示窓20のライン40〜44上に停止させる停止制御を行う。
また、リール停止制御手段320は、役抽選手段310の抽選結果が特定の図柄「７」の当選であるときに、ストップスイッチ90〜92の操作から違和感を抱かれない所定コマ数（例えば４コマ）の範囲内での回転リール31〜33の回転で特定の図柄「７」が表示窓20のライン40〜44上に停止させることができないときには、次回のゲームにおいても上記停止制御を行う停止制御の持ち越しを行う。
なお、停止制御の持ち越しを行わないようにしてもよい。
なお、異なる実施の形態においては、上記リール停止制御手段320による停止制御は、役抽選手段310の抽選結果が特定の図柄「７」の当選であるときに限られず、例えば小役の当選の場合に行ってもよい。
【００５７】
（１）当選テーブル
当選テーブルは、役抽選手段310による抽選の結果、役が当選している場合に選択するためのものである。
また、異なる実施の形態においては、当選テーブルを選択する条件は、役抽選手段310による抽選の結果が役の当選である場合に限られない。
すなわち、当選テーブルは、異なる実施の形態においては、上記リール停止制御手段320による役抽選手段310の抽選結果及びストップスイッチ90〜92のそれぞれの操作にもとづく回転リール31〜33の停止制御によっては、ストップスイッチ90〜92の操作タイミングでは、抽選結果に対応した入賞の役が得られないことを条件として、選択するようにしてもよい。
さらに、停止制御の持ち越しを行ったことを条件として選択するようにしてもよい。
【００５８】
（２）外れテーブル
外れテーブルは、役抽選手段310による抽選の結果、役に外れている場合に選択するためのものである。
【００５９】
（一般遊技制御手段330）
一般遊技制御手段330は、一般遊技を行わせるためのものである。
【００６０】
（特別遊技制御手段340）
特別遊技制御手段340は、一般遊技より遊技者に有利な特別遊技、例えば各種のボーナスを行わせるためのものである。
【００６１】
（利益付与手段350）
利益付与手段350は、表示窓20のライン上40〜44に停止表示された３個の回転リール31〜33の図柄の組み合わせが、予め設定された所定の図柄の組み合わせ（役）に一致している場合に、予め設定された所定の枚数のメダルを払い出すためのものである。
メダルの払い出しは、ホッパーユニット110を駆動させることにより、メダルを実際に払い出してもよいし、或いはクレジットメダル枚数を増加させるようにしてもよい。
【００６２】
（信号送信手段360）
信号送信手段360は、例えばコマンドやデータ等の信号をサブ制御手段400に送信するためのものである。
【００６３】
（信号受信手段410）
サブ制御手段400の信号受信手段410は、メイン制御手段300の信号送信手段360から送信された信号を受信するためのものである。
【００６４】
（演出表示手段420）
演出表示手段420は、演出の内容に応じた画像を、画像表示装置11に表示するためのものである。
【００６５】
（効果音発生手段430）
効果音発生手段430は、演出の内容に応じた画像に対応した効果音をスピーカ12,12から出力させるためのものである。
【００６６】
（異なる実施の形態）
異なる実施の形態にあっては、図６に示すように、第１の背景部51a及び第２の背景部51bの空白部W1,W2の幅を各々等しく形成し、一つの小役図柄52の左図柄間隔L1を右図柄間隔L2よりも狭く形成して、特定の図柄53の突出部分54と同じ位置まで突出するように形成してもよい。
このように、一つの小役図柄52の左図柄間隔L1を右図柄間隔L2よりも狭く形成して、特定の図柄の突出部分と同じ位置まで突出することで、特定の図柄53の突出部分54であるか、左側に寄った小役図柄52であるかを区別する条件が、背景部51a,51bの色彩にのみ限られることになる。
したがって、特定の図柄53の突出部分54のみ左側に突出しているよりも、特定の図柄53を区別することが難しくなり、目押しの難易度をやや向上させることができる。
【図面の簡単な説明】
【００６７】
【図１】２つの図柄を表したリールテープの一部の正面図である。
【図２】スロットマシンの概略正面図である。
【図３】リールユニットの斜視図である。
【図４】５つの図柄を表したリールテープの一部の正面図である。
【図５】スロットマシンの制御の概略を示すブロック図である。
【図６】異なる実施の形態において、５つの図柄を表したリールテープの一部の正面図である。
【符号の説明】
【００６８】
10  スロットマシン                  11  画像表示装置
12  スピーカ
20  表示窓
30  リールニット                      30a  リール本体
31〜33  回転リール                    34〜36  リールモータ
37〜39リールテープ                    40〜44  ライン
50  図柄                              51a     背景部
51b     背景部
52  小役図柄                          53      特定の図柄
54  突出部分
60  メダル投入口                      61  メダルセンサ
70,71  ベットスイッチ
80  スタートスイッチ
90〜92  ストップスイッチ
100  メダル貯留皿
110  ホッパーユニット
200  遊技制御手段
300  メイン制御手段
310  役抽選手段
320  リール停止制御手段
330  一般遊技制御手段
340  特別遊技制御手段
350  利益付与決定手段
360  信号送信手段
400  サブ制御手段                    410  信号受信手段
420  演出表示手段                    430  効果音発生手段
W1   空白部                           W2  空白部
L1   左図柄間隔                      L2   右図柄間隔
【図１】
2009240408.tif 000003
【図２】
2009240408.tif 000004
【図３】
2009240408.tif 000005
【図４】
2009240408.tif 000006
【図５】
2009240408.tif 000007
【図６】
2009240408.tif 000008